(57)【要約】【課題】デジタルテレビジョン信号およびアナログテレビジョン信号の受信が可能であってアナログテレビジョン信号の受信時に所望のアナログ特性を得ることができるテレビジョン信号受信チューナを提供する。【解決手段】本実施形態のテレビジョン信号受信チューナ１においては、ミキサ回路３と第１の中間周波増幅回路４との間に同調回路６およびトラップ回路５が接続されている。また、トラップ回路５は、同調回路６を介して、第１の中間周波増幅回路４の入力端とグランド１０との間に接続されている。【選択図】図１
2011049655.tif 000002
【特許請求の範囲】
【請求項１】
デジタルテレビジョン信号またはアナログテレビジョン信号に係る受信チャンネルの周波数信号を中間周波数信号に変換するミキサ回路と、
前記ミキサ回路の後段に接続されている第１の中間周波増幅回路と、
前記ミキサ回路の出力端または前記第１の中間周波増幅回路の入力端のうちのどちらか一端とグランドとの間に接続されているとともに前記アナログテレビジョン信号に係る前記中間周波数信号に隣接した周波数帯域を減衰点として減衰させるトラップ回路と、
前記ミキサ回路の出力端と前記第１の中間周波増幅回路の入力端との間に接続されているとともに前記減衰点またはそれに近似した周波数帯域を同調点として前記中間周波数信号を同調させる同調回路と
を備えていることを特徴とするテレビジョン信号受信チューナ。
【請求項２】
前記トラップ回路は、前記アナログテレビジョン信号の受信時にそのトラップ機能が有効になるとともに、前記デジタルテレビジョン信号の受信時にそのトラップ機能が無効になるように形成されている
ことを特徴とする請求項１に記載のテレビジョン信号受信チューナ。
【請求項３】
前記トラップ回路は、並列に接続された第１のインダクタおよび第１のキャパシタからなる並列接続回路と、前記並列接続回路の一端とグランドとの間に直列に接続された第２のキャパシタとを有しており、
前記並列接続回路の一端は、前記デジタルテレビジョン信号の受信時のみ導通するスイッチング素子を介して、前記同調回路の入力端もしくは出力端のうちの一端に接続されており、
前記並列接続回路の他端は、前記同調回路の入力端もしくは出力端のうちの他端に接続されている
ことを特徴とする請求項１または請求項２に記載のテレビジョン信号受信チューナ。
【請求項４】
前記同調回路は、前記同調回路の前記入力端と前記出力端との間に直列に接続された第３のキャパシタおよび第４のキャパシタと、前記第３のキャパシタと前記第４のキャパシタとの間の接続点とグランドとの間に直列に接続された第２のインダクタとを有している
ことを特徴とする請求項１から請求項３のいずれか１項に記載のテレビジョン信号受信チューナ。
【請求項５】
前記第１の中間周波増幅回路は、ゲインコントロールアンプである
ことを特徴とする請求項１から請求項４のいずれか１項に記載のテレビジョン信号受信チューナ。
【請求項６】
前記ミキサ回路と前記同調回路との間または前記同調回路と第１の中間周波増幅回路との間のうちのどちらか一方または各々に接続された１個または２個の第２の中間周波増幅回路を備えている
ことを特徴とする請求項１から請求項５のいずれか１項に記載のテレビジョン信号受信チューナ。
【請求項７】
前記同調回路もしくは第２の中間周波増幅回路と前記第１の中間周波増幅回路との間に接続されたＳＡＷフィルタを備えている
ことを特徴とする請求項１から請求項６のいずれか１項に記載のテレビジョン信号受信チューナ。
【発明の詳細な説明】
【技術分野】
【０００１】
本発明は、テレビジョン信号受信チューナに係り、特に、デジタルテレビジョン信号およびアナログテレビジョン信号を受信するチューナに好適に利用できるテレビジョン信号受信チューナに関する。
【背景技術】
【０００２】
従来のテレビジョン信号受信チューナ１０１は、その一例として、図１１に示すように、主に、ミキサ回路１０３、トラップ回路１０５および第１の中間周波増幅回路１０４を備えている。
【０００３】
ミキサ回路１０３は、チップＩＣ１０２の内部にあり、デジタルテレビジョン信号またはアナログテレビジョン信号に係る受信チャンネルの周波数信号を中間周波数信号に変換する。このミキサ回路１０３の出力端には、ミキサ回路１０３から出力された中間周波数信号を増幅する第２の中間周波増幅回路１０８が接続されていることがある。
【０００４】
トラップ回路１０５は、チップＩＣ１０２の外部にあり、ミキサ回路１０３と第１の中間周波増幅回路１０４との間に接続されており、受信を所望するアナログテレビジョン信号に係る中間周波数信号に隣接した周波数帯域を減衰させる。デジタルテレビジョン信号の受信時にはトラップ回路１０５に並列に接続されたスイッチング素子１０７の導通によりトラップ回路１０５の機能が無効になる。
【０００５】
第１の中間周波増幅回路１０４は、チップＩＣ１０２の内部にあり、例えばゲインコントロールアンプであり、トラップ回路１０５の後段に接続されている。トラップ回路１０５と第１の中間周波増幅回路１０４との間には第３の中間周波増幅回路１０９が接続されており、その第３の中間周波増幅回路１０９がデジタルテレビジョン信号およびアナログテレビジョン信号に係る各々の中間周波数信号を個別に出力する場合、アナログテレビジョン信号に係る中間周波数信号はＡＩＦ１１４へ出力され、ＳＡＷフィルタ１１３を介して第１の中間周波増幅回路１０４に入力されたデジタルテレビジョン信号に係る中間周波数信号はＩＦ−ＡＧＣ（中間周波数の自動利得制御回路）からの制御信号をＡＧＣ端子１１５を介して受けてさらに増幅されてからＤＩＦ１１６、１１７へ出力される。
【０００６】
また、従来のテレビジョン信号受信チューナ１０１においては、デジタル／アナログ一体型復調ＩＣが使用され始めた都合上、ＤＩＦ１１６、１１７からデジタルテレビジョン信号およびアナログテレビジョン信号の両信号が取り出されることも多くなってきている。
【先行技術文献】
【特許文献】
【０００７】
【特許文献１】特開２００１−１５７１２８号公報
【発明の概要】
【発明が解決しようとする課題】
【０００８】
しかしながら、従来のテレビジョン信号受信チューナ１０１においては、トラップ回路１０５および第１の中間周波増幅回路１０４の両回路を有効に機能させた場合、トラップ回路１０５が狭帯域を減衰させる特性上、急激なインピーダンス変化が生じるため、第１の中間周波増幅回路１０４の出力時に発生した高周波信号が不要なノイズ源となってＤＩＦ１１６、１１７から出力された信号に対してリプル（信号内に発生する波状のうねり）や第１の中間周波増幅回路１０４の異常発振が生じてしまうという問題があった。
【０００９】
上記の現象を詳細に説明すると次の通りである。トラップ回路１０５を通過する中間周波数信号の周波数がトラップ回路１０５の共振周波数以外の周波数である場合、トラップ回路１０５は低インピーダンスになるので、図１２に示すように、トラップ回路１０５は図１２の点線で囲まれたような素通り状態になり、中間周波数信号はトラップ回路１０５を通過することができる。
【００１０】
それに対し、トラップ回路１０５を通過する中間周波数信号の周波数がトラップ回路１０５の共振周波数と同等または近似している場合、トラップ回路１０５は高インピーダンスになるので、図１３に示すように、トラップ回路１０５は図１３の点線で囲まれたような開放状態と同様の状態になり、中間周波数信号はトラップ回路１０５を理論上通過することができない。また、第１の中間周波増幅回路１０４に弱電界が入力された場合、第１の中間周波増幅回路１０４の利得が最大となるので、第１の中間周波増幅回路１０４の出力端からＤＩＦ１１６、１１７までの間の導電線路からトラップ回路１０５に対して高周波ノイズＮが生じてしまう。その結果、開放状態のトラップ回路１０５から放出された高周波ノイズＮが侵入してしまい、第１の中間周波増幅回路１０４の入出力間において不要な帰還が生じてしまうため、前述した通り、図１４に示すように、第１の中間周波増幅回路１０４の出力時に発生した高周波信号が不要なノイズ源となってＤＩＦ１１６、１１７から出力された信号に対してリプルや第１の中間周波増幅回路１０４の異常発振が生じる問題があった。
【００１１】
その結果、従来のテレビジョン信号受信チューナ１０１においては、トラップ回路１０５を機能させたまま第１の中間周波増幅回路１０４を使用した場合に上記の問題が発生するので、アナログテレビジョン信号の受信時においてトラップ回路１０５を使用することができず、所望するアナログ受信特性を満たすことができない状態であった。
【００１２】
そこで、本発明はこれらの点に鑑みてなされたものであり、デジタルテレビジョン信号およびアナログテレビジョン信号の受信が可能であってアナログテレビジョン信号の受信時に所望のアナログ特性を得ることができるテレビジョン信号受信チューナを提供することを本発明の目的としている。
【課題を解決するための手段】
【００１３】
前述した目的を達成するため、本発明のテレビジョン信号受信チューナは、その第１の態様として、デジタルテレビジョン信号またはアナログテレビジョン信号に係る受信チャンネルの周波数信号を中間周波数信号に変換するミキサ回路と、ミキサ回路の後段に接続されている第１の中間周波増幅回路と、ミキサ回路の出力端または第１の中間周波増幅回路の入力端のうちのどちらか一端とグランドとの間に接続されているとともにアナログテレビジョン信号に係る中間周波数信号に隣接した周波数帯域を減衰点として減衰させるトラップ回路と、ミキサ回路の出力端と第１の中間周波増幅回路の入力端との間に接続されているとともに減衰点またはそれに近似した周波数帯域を同調点として中間周波数信号を同調させる同調回路とを備えていることを特徴としている。
【００１４】
本発明の第１の態様のテレビジョン信号受信チューナによれば、トラップ回路の一端が接地されているので、トラップ回路の共振点においてトラップ回路を含む信号線がアンテナとして作用してしまうことを防止することができる。また、同調回路の同調点がトラップ回路の減衰点と同等または近似して設定されているので、トラップ回路により過度に減衰されたアナログテレビジョン信号に係る中間周波数信号の利得を急増させることができる。
【００１５】
本発明の第２の態様のテレビジョン信号受信チューナは、第１の態様のテレビジョン信号受信チューナにおいて、トラップ回路は、アナログテレビジョン信号の受信時にそのトラップ機能が有効になるとともに、デジタルテレビジョン信号の受信時にそのトラップ機能が無効になるように形成されていることを特徴としている。
【００１６】
本発明の第２の態様のテレビジョン信号受信チューナによれば、弱出力のデジタルテレビジョン信号に係る中間周波数信号がトラップ回路によって減衰されてしまうことを防止することができる。
【００１７】
本発明の第３の態様のテレビジョン信号受信チューナは、第１または第２の態様のテレビジョン信号受信チューナにおいて、トラップ回路は、並列に接続された第１のインダクタおよび第１のキャパシタからなる並列接続回路と、並列接続回路の一端とグランドとの間に直列に接続された第２のキャパシタとを有しており、並列接続回路の一端は、デジタルテレビジョン信号の受信時のみ導通するスイッチング素子を介して、同調回路の入力端もしくは出力端のうちの一端に接続されており、並列接続回路の他端は、同調回路の入力端もしくは出力端のうちの他端に接続されていることを特徴としている。
【００１８】
本発明の第３の態様のテレビジョン信号受信チューナによれば、簡易な構成によって本発明のテレビジョン信号受信チューナに好適なトラップ回路を形成することができる。また、スイッチング素子がデジタルテレビジョン信号の受信時のみ導通するように形成されているので、信号の種類に応じてトラップ回路の動作の有無を使い分けることができる。
【００１９】
本発明の第４の態様のテレビジョン信号受信チューナは、第１から第３のいずれか１の態様のテレビジョン信号受信チューナにおいて、同調回路は、同調回路の入力端と出力端との間に直列に接続された第３のキャパシタおよび第４のキャパシタと、第３のキャパシタと第４のキャパシタとの間の接続点とグランドとの間に直列に接続された第２のインダクタとを有していることを特徴としている。
【００２０】
本発明の第４の態様のテレビジョン信号受信チューナによれば、簡易な構成によって本発明のテレビジョン信号受信チューナに好適な同調回路を形成することができる。
【００２１】
本発明の第５の態様のテレビジョン信号受信チューナは、第１から第４のいずれか１の態様のテレビジョン信号受信チューナにおいて、第１の中間周波増幅回路は、ゲインコントロールアンプであることを特徴としている。
【００２２】
本発明の第５の態様のテレビジョン信号受信チューナによれば、中間周波数信号の利得調整を容易に行なうことができるとともに、デジタルテレビジョン信号に係る中間周波数信号の利得を大きくすることができる。
【００２３】
本発明の第６の態様のテレビジョン信号受信チューナは、第１から第５のいずれか１の態様のテレビジョン信号受信チューナにおいて、ミキサ回路と同調回路との間または同調回路と第１の中間周波増幅回路との間のうちのどちらか一方または各々に接続された１個または２個の第２の中間周波増幅回路を備えていることを特徴としている。
【００２４】
本発明の第６の態様のテレビジョン信号受信チューナによれば、中間周波数信号の利得を容易に増大させることができる。
【００２５】
本発明の第７の態様のテレビジョン信号受信チューナは、第１から第６のいずれか１の態様のテレビジョン信号受信チューナにおいて、同調回路もしくは第２の中間周波増幅回路と第１の中間周波増幅回路との間に接続されたＳＡＷフィルタを備えていることを特徴としている。
【００２６】
本発明の第７の態様のテレビジョン信号受信チューナによれば、同調回路よりも後段の回路から出力された信号からデジタルテレビジョン信号に係る中間周波数信号を選択して取り出すことを容易に行なうことができる。
【発明の効果】
【００２７】
本発明のテレビジョン信号受信チューナによれば、ミキサ回路がデジタルテレビジョン信号およびアナログテレビジョン信号を中間周波数信号に変換し、ミキサ回路の後段に配置されたトラップ回路の共振点においてトラップ回路を含む信号線がアンテナとして作用することを防止したので、トラップ回路の後段に配置された第１の中間周波増幅回路において不要な帰還が発生することを回避することができる。また、トラップ回路によって減衰したアナログテレビジョン信号に係る中間周波数信号を同調回路によって同調し、その利得を急増させている。その結果、デジタルテレビジョン信号およびアナログテレビジョン信号の受信が可能であってアナログテレビジョン信号の受信時に所望のアナログ特性を得ることができるという効果を奏する。
【図面の簡単な説明】
【００２８】
【図１】本発明のテレビジョン信号受信チューナにおける一実施形態を示す回路図
【図２】本実施形態の同調回路およびトラップ回路を示す回路図およびその回路に係る周波数特性のグラフ
【図３】本実施形態のテレビジョン信号受信チューナにおいてトラップ回路を通過する信号の周波数が減衰点以外の場合を示す回路図
【図４】本実施形態のテレビジョン信号受信チューナにおいてトラップ回路を通過する信号の周波数が減衰点の場合を示す回路図
【図５】本実施形態のテレビジョン信号受信チューナにおける広域的な周波数特性を示すグラフ
【図６】本実施形態の同調回路およびトラップ回路においてスイッチング素子が導通している状態を示す回路図
【図７】本実施形態のテレビジョン信号受信チューナにおけるデジタルテレビジョン信号の周波数特性を示すグラフ
【図８】本実施形態のテレビジョン信号受信チューナにおけるアナログテレビジョン信号およびデジタルテレビジョン信号の周波数特性を示すグラフ
【図９】本実施形態のテレビジョン信号受信チューナにおけるデジタルテレビジョン信号の周波数特性を局所的に示すグラフ
【図１０】他の実施形態のテレビジョン信号受信チューナの一例を示す回路図
【図１１】従来の実施形態のテレビジョン信号受信チューナの一例を示す回路図
【図１２】従来のテレビジョン信号受信チューナにおいてトラップ回路を通過する信号の周波数が減衰点以外の場合を示す回路図
【図１３】従来のテレビジョン信号受信チューナにおいてトラップ回路を通過する信号の周波数が減衰点の場合を示す回路図
【図１４】従来のテレビジョン信号受信チューナにおける広域的な周波数特性を示すグラフ
【発明を実施するための形態】
【００２９】
以下、本発明のテレビジョン信号受信チューナをその一実施形態により説明する。
【００３０】
本実施形態のテレビジョン信号受信チューナ１は、図１に示すように、ミキサ回路３、第１の中間周波増幅回路４、トラップ回路５および同調回路６を備えている。また、本実施形態のテレビジョン信号受信チューナ１は、２個の第２の中間周波増幅回路８、９およびＳＡＷフィルタ１３を備えていることが好ましい。なお、ミキサ回路３、第１の中間周波増幅回路４および第２の中間周波増幅回路８、９はチューナＩＣ２の内部に設けられており、トラップ回路５、同調回路６、ＳＡＷフィルタ１３を含むその他の回路はチューナＩＣ２の外部に設けられている。
【００３１】
ミキサ回路３は、デジタルテレビジョン信号またはアナログテレビジョン信号に係る受信チャンネルの周波数信号を中間周波数信号に変換する回路である。なお、ミキサ回路３と同調回路６との間に第２の中間周波増幅回路８を接続させる場合、その第２の中間周波増幅回路８とミキサ回路３との間においてチューナＩＣ２の外部に設けられた他の中間周波同調回路１８を接続することが好ましい。
【００３２】
第１の中間周波増幅回路４は、ミキサ回路３の後段において、少なくともトラップ回路５および同調回路６を介して、好ましくは２個の第２の中間周波増幅回路８、９およびＳＡＷフィルタ１３を介して、接続されている。また、第１の中間周波増幅回路４の出力端には、デジタルテレビジョン信号に係る中間周波数信号を出力する２個のＤＩＦ１６、１７が接続されている。この第１の中間周波増幅回路４は、ゲインコントロールアンプであることが好ましい。この場合、第１の中間周波増幅回路４には、チューナＩＣ２の外部に設けられたＩＦ−ＡＧＣ（中間周波数の自動利得制御回路）がＡＧＣ端子１５を介して接続されていることが好ましい。
【００３３】
トラップ回路５は、アナログテレビジョン信号に係る中間周波数信号に隣接した周波数帯域を減衰点として減衰させる回路である。本実施形態のトラップ回路５においては、この減衰点が所望する中間周波数信号に係る周波数帯における低周波数側の周波数またはそれよりも低い周波数に設定されている。そして、このトラップ回路５は、第１の中間周波増幅回路４の入力端とグランド１０との間に接続されている。
【００３４】
また、トラップ回路５は、アナログテレビジョン信号の受信時にそのトラップ機能が有効になるとともに、デジタルテレビジョン信号の受信時にそのトラップ機能が無効になるように形成されていることが好ましい。このようなトラップ回路５の一例として、本実施形態のトラップ回路５は、並列接続回路５３および第２のキャパシタ５４を有していることが好ましい。この並列接続回路５３は、並列に接続された第１のインダクタ５１および第１のキャパシタ５２からなる。また、第２のキャパシタ５４は、並列接続回路５３の一端５３ａとグランド１０との間に直列に接続されている。そして、並列接続回路５３の一端５３ａは、スイッチング素子７を介して、同調回路６の入力端６ａに接続されている。また、並列接続回路５３の他端５３ｂは、同調回路６の出力端６ｂに接続されている。
【００３５】
本実施形態のトラップ回路５に接続されたスイッチング素子７は、デジタルテレビジョン信号の受信時のみ導通するように形成されている。例えば、スイッチング素子７がダイオードの場合、スイッチング素子７のアノード側にＤＣ出力を行なう回路１１を設け、並列接続回路５３の他端５３ｂにＤＣ出力またはグランドのいずれか一方からなる回路１２を設けることにより、上記のスイッチング素子７が形成される。
【００３６】
同調回路６は、トラップ回路５の減衰点またはそれに近似した周波数帯域を同調点として中間周波数信号を同調させる回路である。本実施形態の同調回路６においては、この同調点がトラップ回路５の減衰点よりも高い周波数であって所望する中間周波数信号に係る周波数帯の低周波数側に存在するように設定されている。そして、この同調回路６は、ミキサ回路３の出力端と第１の中間周波増幅回路４の入力端との間に接続されている。また、同調回路６の出力端６ｂには、第２の中間周波増幅回路９を介してまたは第２の中間周波増幅回路９が接続されていない場合には直接、アナログテレビジョン信号に係る中間周波数信号を出力するＡＩＦ１４が接続されている。
【００３７】
本実施形態の同調回路６は、例えば、第３のキャパシタ６１および第４のキャパシタ６２ならびに第２のインダクタ６３を有していることが好ましい。この場合、第３のキャパシタ６１および第４のキャパシタ６２は、同調回路６の入力端６ａと出力端６ｂとの間に直列に接続されており、第２のインダクタ６３は第３のキャパシタ６１と第４のキャパシタ６２との間の接続点とグランド１０との間に直列に接続されている。
【００３８】
第２の中間周波増幅回路８、９は、本実施形態において、２個用いられていることが好ましい。これら２個の第２の中間周波増幅回路８、９は、ミキサ回路３と同調回路６との間、および、同調回路６と第１の中間周波増幅回路４との間、にそれぞれ接続されていることが好ましい。ただし、第２の中間周波増幅回路８、９は、ミキサ回路３と同調回路６との間、または、同調回路６と第１の中間周波増幅回路４との間、のいずれか一方にのみ接続されていても良い。
【００３９】
ＳＡＷフィルタ１３は、同調回路６の後段に設けられた第２の中間周波増幅回路９と第１の中間周波増幅回路４との間に接続されていることが好ましい。ただし、本実施形態のテレビジョン信号受信チューナ１に第２の中間周波増幅回路９が接続されていない場合には、ＳＡＷフィルタ１３は、同調回路６と第１の中間周波増幅回路４との間に接続されていることが好ましい。
【００４０】
次に、本実施形態のテレビジョン信号受信チューナ１の作用を説明する。
【００４１】
本実施形態のテレビジョン信号受信チューナ１においては、図１および図２に示すように、ミキサ回路３と第１の中間周波増幅回路４との間に同調回路６およびトラップ回路５が接続されている。また、トラップ回路５は、同調回路６を介して、第１の中間周波増幅回路４の入力端とグランド１０との間に接続されている。そのため、トラップ回路５の共振周波数（減衰点）以外の周波数である場合、トラップ回路５は低インピーダンスになるので、図３に示すように、トラップ回路５は図３の点線で囲まれたような素通り状態になり、中間周波数信号はトラップ回路５を通過することができる。それに対し、トラップ回路５を通過する中間周波数信号の周波数がトラップ回路５の共振周波数（減衰点）と同等または近似している場合、トラップ回路５は高インピーダンスになるので、図４に示すように、トラップ回路５は図４の点線で囲まれたような接地状態と同様の状態になり、中間周波数信号はトラップ回路５に接続されたグランド１０に流れていく。
【００４２】
このように、テレビジョン信号受信チューナ１においては、本実施形態のトラップ回路５の一端が接地されているので、トラップ回路５の共振点においてトラップ回路５を含む信号線がアンテナとして作用してしまうことを防止することができる。その結果、図５に示すように、トラップ回路５の後段に配置された第１の中間周波増幅回路４において不要な帰還やリプルが発生することを回避することができる。また、第１の中間周波増幅回路４にゲインコントロールアンプを用いた場合、上記の不要な帰還やリプルを気にする必要が無いため、中間周波数信号の利得調整を容易に行なうことができるとともに、デジタルテレビジョン信号に係る中間周波数信号の利得を大きくすることができる。
【００４３】
また、本実施形態のテレビジョン信号受信チューナ１においては、同調回路６の同調点がトラップ回路５の減衰点と同等または近似して設定されている。本実施形態において、トラップ回路５の減衰点は、図２右側のグラフにおける（３）の点線が示すように、所望する中間周波数信号に係る周波数帯における低周波数側の周波数よりも低い周波数に設定されており、同調回路６の同調点は、図２右側のグラフにおける（２）の点線が示すように、トラップ回路５の減衰点よりも高い周波数であって所望する中間周波数信号に係る周波数帯の低周波数側に存在するように設定されている。その結果、図２右側のグラフにおける（４）の実線が示すように、同調回路６およびトラップ回路５を通過した中間周波数信号について、トラップ回路５により過度に減衰されたアナログテレビジョン信号に係る中間周波数信号の利得を所望する中間周波数帯域において急増させることができる。
【００４４】
つまり、本実施形態のトラップ回路５の一端を接地させ、かつ、トラップ回路５の減衰特性により生じる中間周波数帯域の利得の減少を同調回路６により補っているので、デジタルテレビジョン信号およびアナログテレビジョン信号の受信を可能にしつつ、アナログテレビジョン信号の受信時に所望のアナログ特性を得ることができる。
【００４５】
また、本実施形態のトラップ回路５については、アナログテレビジョン信号の受信時にそのトラップ機能が有効になり、デジタルテレビジョン信号の受信時にそのトラップ機能が無効になるように形成されている。具体的には、図１に示すように、本実施形態のトラップ回路５に接続されたスイッチング素子７がデジタルテレビジョン信号の受信時のみ導通するように形成されているので、信号の種類に応じてトラップ回路５の動作の有無を使い分けることができる。例えば、スイッチング素子７が導通すると、同調回路６およびトラップ回路５は図６に示す等価回路になり、その周波数特性が図７に示すように、点線から実線の特性に変化する。このように、本実施形態のテレビジョン信号受信チューナ１においては、弱出力のデジタルテレビジョン信号に係る中間周波数信号がトラップ回路５によって減衰されてしまうことを防止することができる。
【００４６】
つまり、アナログテレビジョン信号の受信時には、スイッチング素子７を非導通状態にすることにより、図８の実線に示すような、トラップ作用を含む周波数特性にすることができるとともに、デジタルテレビジョン信号の受信時には、スイッチング素子７を導通状態にすることにより、図８の点線に示すような、トラップ作用を含まない周波数特性にすることができる。
【００４７】
また、図９の点線は従来のテレビジョン信号受信チューナ１０１の帯域特性を示し、図９の実線は本実施形態のテレビジョン信号受信チューナ１の帯域特性を示している。スイッチング素子７としてダイオードを選択し、そのダイオードを導通状態にすると、図９に示すように、従来のテレビジョン信号受信チューナ１０１と比較して、ダイオードによるデジタルテレビジョン信号の帯域制限を得ることもできるので、所望の中間周波数帯域のみを得ることが容易となる。
【００４８】
さらに、本実施形態のトラップ回路５においては、図１に示すように、並列接続回路５３、第２のキャパシタ５４およびグランド１０が直列に接続されている。そして、並列接続回路５３の一端５３ａにはスイッチング素子７を介して同調回路６の入力端６ａが接続されており、並列接続回路５３の他端５３ｂには同調回路６の出力端６ｂに接続されている。つまり、簡易な構成により、本実施形態のテレビジョン信号受信チューナ１に好適なトラップ回路５を形成することができる。
【００４９】
一方、本実施形態の同調回路６においては、図１に示すように、直列に接続された第３のキャパシタ６１と第４のキャパシタ６２との間の接続点とグランド１０との間に第２のインダクタ６３が直列に接続されている。これは、トラップ回路５に係る並列接続回路５３の一端５３ａおよび他端５３ｂが同調回路６の入力端６ａおよび出力端６ｂに接続されているためである。つまり、簡易な構成によって、本実施形態のテレビジョン信号受信チューナ１に好適な同調回路６を形成することができる。
【００５０】
さらに、本実施形態のテレビジョン信号受信チューナ１は、２個の第２の中間周波増幅回路８、９を備えているので、中間周波数信号の利得を容易に増大させることができる。また、本実施形態のテレビジョン信号受信チューナ１はＳＡＷフィルタ１３を備えているので、同調回路６よりも後段の回路から出力された信号からデジタルテレビジョン信号に係る中間周波数信号を選択して取り出すことを容易に行なうことができる。
【００５１】
すなわち、本実施形態のテレビジョン信号受信チューナ１によれば、ミキサ回路３がデジタルテレビジョン信号およびアナログテレビジョン信号を中間周波数信号に変換し、ミキサ回路３の後段に配置されたトラップ回路５の共振点においてトラップ回路５を含む信号線がアンテナとして作用することを防止したので、トラップ回路５の後段に配置された第１の中間周波増幅回路４において不要な帰還が発生することを回避することができる。また、トラップ回路５によって減衰したアナログテレビジョン信号に係る中間周波数信号を同調回路６によって同調し、その利得を急増させている。その結果、デジタルテレビジョン信号およびアナログテレビジョン信号の受信が可能であってアナログテレビジョン信号の受信時に所望のアナログ特性を得ることができるという効果を奏する。
【００５２】
なお、本発明は、前述した実施形態などに限定されるものではなく、必要に応じて種々の変更が可能である。
【００５３】
例えば、他の実施形態においては、図１０に示すように、トラップ回路５がミキサ回路３の出力端とグランド１０との間に接続されていてもよい。この場合、トラップ回路５の並列接続回路５３の一端５３ａは、スイッチング素子７を介して、同調回路６の出力端６ｂに接続されており、その他端５３ｂは、同調回路６の入力端６ａに接続されている。
【００５４】
また、本実施形態においては、アナログ受信特性を向上させるために同調回路６を設けているが、第１の中間周波増幅回路４の発振等の防止のみを目的とするのであれば、本実施形態のテレビジョン信号受信チューナ１から同調回路６を除いた形態のものを用いてもよい。
【符号の説明】
【００５５】
１  テレビジョン信号受信チューナ
３  ミキサ回路
４  第１の中間周波増幅回路
５  トラップ回路
６  同調回路
７  スイッチング素子
８、９  第２の中間周波増幅回路
【図１】
2011049655.tif 000003
【図２】
2011049655.tif 000004
【図３】
2011049655.tif 000005
【図４】
2011049655.tif 000006
【図５】
2011049655.tif 000007
【図６】
2011049655.tif 000008
【図７】
2011049655.tif 000009
【図８】
2011049655.tif 000010
【図９】
2011049655.tif 000011
【図１０】
2011049655.tif 000012
【図１１】
2011049655.tif 000013
【図１２】
2011049655.tif 000014
【図１３】
2011049655.tif 000015
【図１４】
2011049655.tif 000016